(57)【要約】【課題】送風機が故障しても急に送風の停止が発生しない熱交換装置およびそれを用いた発熱体収納装置を提供することを目的とする。【解決手段】互いに交差する二つの風路を有しそれぞれに対応させて一対の吐出面と吸い込み面を対向して形成した熱交換器１３と、この熱交換器１３の隣り合った吐出面に第１送風機１４と第２送風機１５を備え、第１送風機１４には第１吹き出し口１６を設け、熱交換器１３の一方の吸い込み面には第１吸い込み口１７を設け、第１風路９を形成し第１環境に連通するとともに、第２送風機１４には第２吹き出し口１９と、熱交換器１３の他方の吸い込み面には第２吸い込み口２０を設け、第２風路１２を形成し第２環境へ連通し、前記第１環境の空気と第２環境の空気の熱交換行う熱交換装置６において、前記第２送風機は、前記吐出面に対角に配置した二つの遠心ファンにより構成した熱交換装置。    【選択図】図４
2010019455.tif 000002
【特許請求の範囲】
【請求項１】
伝熱板を挟んだ第１風路と第２風路とを有した熱交換器と、前記第１風路に第１送風機と前記第２風路に第２送風機を備え、前記第２送風機は、前記吐出面に対角に配置した二つの遠心ファンにより構成した熱交換装置。
【請求項２】
第１風路と第２風路のそれぞれに対応させて一対の吐出面と吸い込み面を対向して形成した熱交換器と、この熱交換器の隣り合った吐出面に第１送風機と第２送風機を備え、前記第１送風機には一方向に吹出す第１吹き出し口を設け、前記熱交換器の一方の吸い込み面には第１吸い込み口を設け、水平面上に第１風路を形成し第一環境に連通するとともに、前記第２送風機には垂直方向の下方へ吹出す第２吹き出し口と、前記熱交換器の他方の吸い込み面には下方向から空気を吸い込む第２吸い込み口を設け、垂直平面上に第２風路を形成し第２環境へ連通し、前記第１環境の空気と第２環境の空気の熱交換を行う構成とした請求項１記載の熱交換装置。
【請求項３】
二つの遠心ファンは熱交換器の吐出面に対角に配置した請求項１記載の熱交換装置。
【請求項４】
上側に配置する第１の遠心ファンの吹き出し口の面積は、下側に配置する第２の遠心ファンの吹き出し口の面積より小さくした請求項１記載の熱交換装置。
【請求項５】
第１の遠心ファンと第２の遠心ファンは、同一の羽根とモータで構成し、ファンの回転方向が互いに対抗する位置から第１の遠心ファンと第２の遠心ファンの吹き出し口まで延設した隔壁を設けた請求項１記載の熱交換装置。
【請求項６】
隔壁は、第１の遠心ファンの回転軸と第２の遠心ファンの回転軸を結ぶ対角線に対して交差させて設けた請求項５記載の熱交換装置。
【請求項７】
第１の遠心ファンは回転方向に沿って吹き出し口に連通する側壁を有し、第２の遠心ファンは、吹き出し口へ直接吹き出す構成とした請求項１記載の熱交換装置。
【請求項８】
内部に発熱体を収納するキャビネットを有し、前記キャビネットの両側面より外気を吸い込み背面より吹出す第１風路と、キャビネットの上部から下方の空間の空気を垂直平面上に循環させる第２風路を形成し、前記キャビネットの上部に前記第１風路と第２風路に対応させて風路を配置した請求項１から７記載の熱交換装置を備え、キャビネット内の冷却を行う構成とした発熱体収納装置。
【発明の詳細な説明】
【技術分野】
【０００１】
本発明は、熱交換装置とそれを用いた発熱体収納装置に関するものである。
【背景技術】
【０００２】
例えば、携帯電話の基地局は、数十アンペア以上の電流が流れることから、ある点では発熱体とも表現される。つまり、冷却をすることがその動作を安定化させるためには極めて重要なものとなる。このような携帯電話の基地局はその冷却を行う為に次のような構成をとっている。すなわち、この種の発熱体収納装置は、発熱体となる送・受信機を収納したキャビネットと、このキャビネットの開口部に装着された熱交換装置とを備えた構成となっていた。また、発熱体収納装置としての設置面積を小さくすることが要望され、キャビネットに対して、熱交換装置は、その扉部分に取り付けられることが多いことから薄型化が要望されていた（例えば、特許文献１参照）。
【０００３】
以下、その熱交換装置について図６を参照しながら説明する。
【０００４】
図６に示すように、熱交換装置は、発熱体収納装置の壁面に取り付けるために例えば下記のような構成となっていた。すなわち、外気用の第１吸気口１０１と第１吐出口１０２および発熱体１０３を収納したキャビネット１０４内用の第２吸気口１０５および第２吐出口１０６を有する本体ケース１０７と、この本体ケース１０７内に設けられた外気用の第１の送風機１０８およびキャビネット１０４内用の第２の送風機１０９と、前記本体ケース１０７内において室外空気とキャビネット１０４内空気との熱交換を行う熱交換器１１０とを備えた構成となっていた。
【０００５】
また、前記第１の送風機１０８と第２の送風機１０９は、本体ケース１０７内中央部に配置した熱交換器１１０に対して互いに対向する方向に配置し、第１吸気口１０１および第２吸気口１０５から吸い込んだ空気を熱交換器１１０へ吹き込むように構成していた。
【特許文献１】特開２０００−１６１８７５号公報
【発明の開示】
【発明が解決しようとする課題】
【０００６】
このような熱交換装置では、携帯電話の基地局は、数十アンペア以上の電流が流れることから、その内部の温度上昇は高く、特に内部の空気を循環させて廃熱させる第２の送風機１０９が万一故障すると、急に送風風量が停止してしまい内部温度を所定に温度以下に保つことが難しくなるという課題があった。
【０００７】
本発明は、このような課題を解決するもので、送風機が故障しても急に送風風量の低下が発生しない熱交換装置およびそれを用いた発熱体収納装置を提供することを目的とする。
【課題を解決するための手段】
【０００８】
そこで、本発明の熱交換装置およびそれを用いた発熱体収納装置は、伝熱板を挟んだ第１風路と第２風路とを有した熱交換器と、前記第１風路に第１送風機と前記第２風路に第２送風機を備え、前記第２送風機は、二つの遠心ファンにより構成したものである。
【０００９】
この手段により、二つの遠心ファンにより構成することで、第２送風機は故障しても同時に二つの遠心ファンが故障することは少なく、第２環境側の送風が急に停止することがなくなるという効果のある熱交換装置およびそれを用いた発熱体収納装置が得られる。
【００１０】
また、他の手段は、第１風路と第２風路のそれぞれに対応させて一対の吐出面と吸い込み面を対向して形成した熱交換器と、この熱交換器の隣り合った吐出面に第１送風機と第２送風機を備え、前記第１送風機には一方向に吹出す第１吹き出し口を設け、前記熱交換器の一方の吸い込み面には第１吸い込み口を設け、水平面上に第１風路を形成し第一環境に連通するとともに、前記第２送風機には垂直方向の下方へ吹出す第２吹き出し口と、前記熱交換器の他方の吸い込み面には下方向から空気を吸い込む第２吸い込み口を設け、垂直平面上に第２風路を形成し第２環境へ連通し、前記第１環境の空気と第２環境の空気の熱交換を行う構成としたものである。
【００１１】
この手段により、二つの遠心ファンにより構成することで、第２送風機は故障しても同時に二つの遠心ファンが故障することは少なく、第２環境側の送風が急に停止することがなくなるという効果のある熱交換装置およびそれを用いた発熱体収納装置が得られる。
【００１２】
また、二つの遠心ファンは熱交換器の吐出面に対角に配置したものである。
【００１３】
この手段により、二つの遠心ファンの動作環境を異なる環境にすることで同時に故障することがなくなり、第２送風機が故障しても送風が急に停止することがなくなるという効果のある熱交換装置およびそれを用いた発熱体収納装置が得られる。
【００１４】
また、他の手段は、上側に配置する第１の遠心ファンの吹き出し口の面積は、下側に配置する第２の遠心ファンの吹き出し口の面積より小さくしたものである。
【００１５】
この手段により、二つの遠心ファンの動作環境を異なる環境にすることで、同時に故障することがなくなり、第２送風機が故障しても送風が急に停止することがなくなるという効果のある熱交換装置およびそれを用いた発熱体収納装置が得られる。
【００１６】
また、他の手段は、第１の遠心ファンと第２の遠心ファンは、同一の羽根とモータで構成し、ファンの回転方向が互いに対抗する位置から第１の遠心ファンと第２の遠心ファンの吹き出し口まで延設した隔壁を設けたものである。
【００１７】
この手段により、互いに異なる吹き出し口から吹き出し風を分けて吹き出すことで二つの遠心ファンの動作環境を異なる環境にすることができ、第２送風機は故障しても送風が急に停止することがなくなるという効果のある熱交換装置およびそれを用いた発熱体収納装置が得られる。
【００１８】
また、他の手段は、隔壁は、第１の遠心ファンの回転軸と第２の遠心ファンの回転軸を結ぶ対角線に対して交差させて設けたものである。
【００１９】
この手段により、互いに異なる吹き出し口から吹き出し風を分けて吹き出すことで二つの遠心ファンの動作環境を異なる環境にすることができ、第２送風機は故障しても第２環境側の送風が急に停止することがなくなるという効果のある熱交換装置およびそれを用いた発熱体収納装置が得られる。
【００２０】
また、他の手段は、第１の遠心ファンは回転方向に沿って吹き出し口に連通する側壁を有し、第２の遠心ファンは、吹き出し口へ直接吹き出す構成としたものである。
【００２１】
この手段により、二つの遠心ファンの動作環境を異なる環境にすることで、同時に故障することがなくなり、第２送風機が故障しても第２環境側の送風が急に停止することがなくなるという効果のある熱交換装置およびそれを用いた発熱体収納装置が得られる。
【００２２】
また、他の手段は、内部に発熱体を収納するキャビネットを有し、前記キャビネットの両側面より外気を吸い込み背面より吹出す第１風路と、キャビネットの上部から下方の空間の空気を垂直平面上に循環させる第２風路を形成し、前記キャビネットの上部に前記第１風路と第２風路に対応させて風路を配置した熱交換装置を備え、キャビネット内の冷却を行う構成としたものである。
【００２３】
この手段により、動作環境の異なる二つの遠心ファンを備えた第２送風機は、故障しても急に送風が停止することがなくなりキャビネット内の急激な温度上昇を防止するという効果のある熱交換装置およびそれを用いた発熱体収納装置が得られる。
【発明の効果】
【００２４】
本発明の熱交換装置およびそれを用いた発熱体収納装置によれば、熱交換装置を伝熱板を挟んだ第１風路と第２風路とを有した熱交換器と、前記第１風路に第１送風機と前記第２風路に第２送風機を備え、前記第２送風機は、二つの遠心ファンにより構成することで、第２送風機が故障しても二つの遠心ファンが同時に故障することがなく、送風が急に停止することがなくなるという効果のある熱交換装置およびそれを用いた発熱体収納装置を提供することができる。
【発明を実施するための最良の形態】
【００２５】
請求項１記載の発明は、伝熱板を挟んだ第１風路と第２風路とを有した熱交換器と、前記第１風路に第１送風機と前記第２風路に第２送風機を備え、前記第２送風機は、二つの遠心ファンにより構成することで、第２送風機は、二つの遠心ファンを動作させて送風する作用を有する。
【００２６】
また、請求項２記載の発明は、第１風路と第２風路のそれぞれに対応させて一対の吐出面と吸い込み面を対向して形成した熱交換器と、この熱交換器の隣り合った吐出面に第１送風機と第２送風機を備え、前記第１送風機には一方向に吹出す第１吹き出し口を設け、前記熱交換器の一方の吸い込み面には第１吸い込み口を設け、水平面上に第１風路を形成し第一環境に連通するとともに、前記第２送風機には垂直方向の下方へ吹出す第２吹き出し口と、前記熱交換器の他方の吸い込み面には下方向から空気を吸い込む第２吸い込み口を設け、垂直平面上に第２風路を形成し第２環境へ連通し、前記第１環境の空気と第２環境の空気の熱交換を行う構成とした熱交換装置であって、第２送風機は、二つの遠心ファンを動作させて送風する作用を有する。
【００２７】
また、請求項３記載の発明は、二つの遠心ファンは熱交換器の吐出面に対角に配置したものであり、二つの遠心ファンの動作環境を異なる環境にして動作させる作用を有する。
【００２８】
また、請求項４記載の発明は、上側に配置する第１の遠心ファンの吹き出し口の面積は、下側に配置する第２の遠心ファンの吹き出し口の面積より小さくした熱交換装置であって、第１の遠心ファンの吹き出し口面積を第２の遠心ファンの吹き出し口の面積よりも小さくすることで、二つの遠心ファンの動作環境を異なる環境にして動作させる作用を有する。
【００２９】
また、請求項５記載の発明は、第１の遠心ファンと第２の遠心ファンは、同一の羽根とモータで構成し、ファンの回転方向が互いに対抗する位置から第１の遠心ファンと第２の遠心ファンの吹き出し口まで延設した隔壁を設けた熱交換装置であって、第１の遠心ファンと第２の遠心ファンは、隔壁によって互いに吹き出し風を分けて送風することとなり、異なる面積の吹き出し口から吹き出す作用を有する。
【００３０】
また、請求項６記載の発明は、隔壁は、第１の遠心ファンの回転軸と第２の遠心ファンの回転軸を結ぶ対角線に対して交差させて設けた熱交換装置であって、第１の遠心ファンと第２の遠心ファンは、隔壁によって互いに吹き出し風を分けて送風することとなり、異なる面積の吹き出し口から吹き出す作用を有する。
【００３１】
また、請求項７記載の発明は、第１の遠心ファンは回転方向に沿って吹き出し口に連通する側壁を有し、第２の遠心ファンは、吹き出し口へ直接吹き出す構成とした熱交換装置
であって、第１の遠心ファンは側壁に沿って空気を吹き出し、第２の遠心ファンは、直接空気を吹き出す作用を有する。
【００３２】
また、請求項８記載の発明は、内部に発熱体を収納するキャビネットを有し、前記キャビネットの両側面より外気を吸い込み背面より吹出す第１風路と、キャビネットの上部から下方の空間の空気を垂直平面上に循環させる第２風路を形成し、前記キャビネットの上部に前記第１風路と第２風路に対応させて風路を配置した熱交換装置を備え、キャビネット内の冷却を行う構成とした発熱体収納装置であって、二つの遠心ファンの動作環境を異なる環境にして動作させる熱交換装置を備えてキャビネット内の冷却を行う作用を有する。
【００３３】
以下、本発明の実施の形態について図面を参照しながら説明する。
【００３４】
（実施の形態１）
図１に示す１はビルディングを示し、その屋上２には発熱体収納装置としての携帯電話の基地局３が設けられている。携帯電話の基地局３は箱状のキャビネット４とこのキャビネット４内に設けた送・受信装置５と前記キャビネット４の上方に設けた熱交換装置６とにより構成されている。すなわち、熱交換装置６は、第１環境である外気に対して第２環境である送・受信装置５を収納する空間を区切る箱体のキャビネット４の内側の上部に設置するものである。
【００３５】
また、図２に示すように、キャビネット４は、側面に第１環境の空気を吸い込む第１吸気口７と背面から第１環境へ空気を吹き出す第１吐出口８を有し、内部に設置した熱交換装置６へ連通する第１風路９を略水平面上に形成する。
【００３６】
また、図３に示すようにキャビネット４内には、上部に配置した熱交換装置６の第２吸気口１０から吸い込まれた第２環境内の空気を第２吐出口１１から再び第２環境へ吹き出す第２風路１２を形成する。また、第２吸気口１０と第２吐出口１１はキャビネット４の厚み方向に配置されて、第２風路１２は、略垂直面上に循環流路を形成するものである。
【００３７】
次に、図４に示すように熱交換装置６は、第１風路９と第２風路１２の空気を伝熱板を挟んで互いに交差させる二つの風路を有しそれぞれ対応させて一対の吐出面と吸い込み面を対向して形成した熱交換器１３と、その熱交換器１３の隣り合った一方の吐出面に第１送風機１４と第２送風機１５を備え、この第１送風機１４には水平方向に吹き出す第１吹き出し口１６を設け、熱交換器１３の一方の吸い込み面には第１吸い込み口１７を設け、水平面上に前記第１風路９が形成される。そして、第１環境に連通するものである。
【００３８】
また、熱交換器１３の他方の吐出面１８には前記第２送風機１５には垂直方向の下方へ吹き出す第２吹き出し口１９と、熱交換装置６の他方の吸い込み面には下方向から空気を吸い込む第２吸い込み口２０を設け、垂直平面上に前記第２風路１２を形成し第２環境へ連通するものである。
【００３９】
そして、図５に示すように、第２送風機１５は、吐出面１８の第１の対角線２１上にそのファンの中心軸を配置した二つの遠心ファンとして第１の遠心ファン２２と第２の遠心ファン２３により構成されている。第１の遠心ファン２２は、第２の遠心ファン２３より上側に配置する。第１の遠心ファン２２と第２の遠心ファン２３は、同一のファンとモータで構成したもので、そのファンの直径は、吐出面１８の幅より小さく、その幅の１／２よりは大きく構成したものである。また、ファンの回転方向は、同方向のものである。
【００４０】
また、吐出面１８には、第２送風機１５を囲む天面板２４と側壁２５を配置し、下面側に第２吹き出し口１９を形成するものである。
【００４１】
第２吹き出し口１９は、ファンの回転方向が互いに対向する位置から第１の遠心ファン２２と第２の遠心ファン２３の吹き出し口まで延設して設けた隔壁２６により、第１の遠心ファン２２の吹き出し口としての第１開口２７と第２の遠心ファン２３の吹き出し口としての第２開口２８を有する。そして、第１開口２７は第２開口２８よりも開口面積が小さく形成される。例えば、図５に示すように（Ｌ１／Ｌ２）＜１となるように、第１開口２７と第２開口２８の開口幅Ｌ１とＬ２を変えて設けて、第１の遠心ファン２２の吹き出し口面積を第２の遠心ファン２３の吹き出し口の面積よりも小さくするものである。
【００４２】
また、第１の遠心ファン２２は回転方向に沿って第１開口２７に連通する側壁２５を有し、第２の遠心ファン２３は、第２開口２８へ直接吹き出す構成とする。
【００４３】
また、隔壁２６の一部は、第１の遠心ファン２２の回転軸と第２の遠心ファン２３の回転軸を結ぶ第１の対角線２１に対して交差させて設けている。
【００４４】
また、この隔壁２６の一部は、吐出面１８の第１の対角線２１と交差する第２の対角線２９上に位置させるものである。
【００４５】
上記構成により、図２に示す熱交換装置６の第１送風機１４の作用により第１環境の空気は、第１吸気口７を通って図４の第１吸い込み口１７へ吸い込まれ熱交換装置６へ吸い込まれ熱交換器１３を通り、第１送風機１４により第１吹き出し口１６から吹出され、図２の第１吐出口８を通って再び第１環境へ吹出される。一方、図３の第２送風機１５の作用によりキャビネット４内である第２環境の空気は、第２吸気口１０を通って図４の第２吸い込み口２０から吸い込まれ熱交換器１３を通り、第２送風機１５により第２吹き出し口１９から吹き出され第２吐出口１１から第２環境へ再び吹出される。
【００４６】
そして、第２環境から吸い込まれた空気の熱は、熱交換器１３を通ることで、第１環境から吸い込まれた空気の熱と熱交換されることで、第２環境の熱を排出して冷却することとなる。つまり、キャビネット４内の上方に配置した熱交換装置６で、キャビネット４内の第２環境の空気を冷却することができる。
【００４７】
さて、上記のように動作している熱交換装置６は、第１環境に比べて、キャビネット４内の第２環境は、送・受信装置５の発熱が著しく、特に第２風路１２側に配置して第２送風機１５は、苛酷な温度環境下に置かれることとなり、第１風路９側に配置した第１送風機１４に比べて寿命が短くなることがある。そこで本実施の形態のように、第２送風機１５を第１の遠心ファン２２と第２の遠心ファン２３で構成すると、以下のように動作することとなる。すなわち、第１の遠心ファン２２と第２の遠心ファン２３は、熱交換素子の吐出面１８に対角に配置して、吐出面１８に対して直角に方向を変え、かつ、吹き出し方向を同一方向にすることで、第１の遠心ファン２２と第２の遠心ファン２３の二つの遠心ファンは、吹き出し方向の距離を変えることができ、抵抗が互いに異なる状態にするここととなる。そして、第１の遠心ファン２２と第２の遠心ファン２３は、同一の遠心ファンを用意しても動作環境を異なる環境にして動作させることができる。すなわち、第１の遠心ファン２２と第２の遠心ファン２３の回転数も異なることとなり、そのモータにかかる負荷も異なるものなり、同時に故障を起こすことがなくなる。
【００４８】
そして、万一故障となっても、一方の遠心ファン例えば第１の遠心ファン２２が停止しても、他方の遠心ファン例えば第２の遠心ファン２３が運転を続けることとなり、急に第２環境側の送風が停止してしまうことがなくなる。
【００４９】
以上のように、まず、第２送風機１５を第１の遠心ファン２２と第２の遠心ファン２３の二つの遠心ファンで構成することで、第２環境側の送風が急に停止することがなくなる。すなわち、一つの遠心ファンにて構成した場合に比べて、第１の遠心ファン２２と第２の遠心ファン２３の二つの遠心ファンで構成することで、故障が同時に発生する確率は、極めて低いことから、第２送風機１５は故障しても送風が急に停止することがなくなる。
【００５０】
さらに、第１の遠心ファン２２と第２の遠心ファン２３の二つの遠心ファンの動作環境を異なる環境にすることで、同時に故障することがなくなり、第２送風機１５が故障しても第２環境側の送風が急に停止することがなくなることとなる。
【００５１】
また、第２吹き出し口１９において、図５の第１開口２７と第２開口２８の開口幅Ｌ１とＬ２を変えて設けて、第１の遠心ファン２２の吹き出し口面積を第２の遠心ファン２３の吹き出し口の面積よりも小さくすることで、第１の遠心ファン２２と第２の遠心ファン２３の二つの遠心ファンの吹き出し方向の抵抗を異なる状態にして、動作環境を異なる環境にして動作させる。したがって、第２送風機１５は故障しても第１の遠心ファン２２と第２の遠心ファン２３の二つの遠心ファン、が同時に故障することがなくなり、第２環境側の送風が急に停止することがなくなる。
【００５２】
また、第１の遠心ファン２２は側壁２５に沿って空気を吹き出し、第２の遠心ファン２３は、直接空気を吹き出す構成として、第１の遠心ファン２２と第２の遠心ファン２３の二つの遠心ファンの動作環境を異なる環境にすることで、同時に故障することがなくなり、第２送風機１５が故障しても第２環境側の送風が急に停止することがなくなる。
【００５３】
さらに、第１の遠心ファン２２と第２の遠心ファン２３は、隔壁２６によって互いに吹き出し風を区分けして送風することとなり、異なる面積の吹き出し口からそれぞれ効率よく吹き出すことができ、互いに異なる吹き出し口から吹き出し風を分けて吹き出すことで、第１の遠心ファン２２と第２の遠心ファン２３の二つの遠心ファンの吹き出し側の抵抗を異なるものにして、動作環境を異なる環境にすることができ、第２送風機１５は故障しても第２環境側の送風が急に停止することがなくなる。
【００５４】
また、第１の遠心ファン２２と第２の遠心ファン２３は、第１の遠心ファン２２の回転軸と第２の遠心ファン２３の回転軸を結ぶ第１の対角線２１に対して交差させて設けた隔壁２６によって、第１の遠心ファン２２と第２の遠心ファン２３が最も接近する部分で互いに吹き出す風を干渉させることなく分けて送風することとなり、さらに、異なる面積の吹き出し口へ案内し吹き出すことで、互いに異なる吹き出し口から吹き出す風を効率よく吹き出すことができる。そして、第１の遠心ファン２２と第２の遠心ファン２３の二つの遠心ファンの吹き出し風路を異なるものとすることができて、動作環境を異なる環境にすることができる。結果として、第２送風機１５は故障しても第２環境側の送風が急に停止することがなくなる。
【００５５】
そして、第１の遠心ファン２２と第２の遠心ファン２３の二つの遠心ファンの動作環境を異なる環境にして動作させる熱交換装置６を備えてキャビネット４内の冷却を行うことで、動作環境の異なる二つの遠心ファンを備えた第２送風機１５は、故障しても急に送風が停止することがなくなりキャビネット４内の急激な温度上昇を防止することとなる。
【００５６】
なお、本実施の形態では、第２送風機１５を二つの遠心ファンすなわち、第１の遠心ファン２２と第２の遠心ファン２３で構成したが、第１送風機１４を同様に二つの遠心ファンで構成した場合は、第１送風機１４が故障した場合に第１環境側の送風が急に停止してしまうことを防止して、キャビネット４内の急激な温度の上昇を防止することもできる。
【００５７】
また、第２送風機１５を二つの遠心ファンとして第１の遠心ファン２２と第２の遠心ファン２３で構成することで、装置の小型化もはかれる。
【００５８】
すなわち、同一のファンとモータで構成した第１の遠心ファン２２と第２の遠心ファン２３は、そのファンの直径は、吐出面１８の幅より小さく、その幅の１／２よりは大きく構成し、吐出面１８の第１の対角線２１上にそのファンの中心軸を配置したものであるので、吐出面１８に一つの遠心ファンを配置した場合に比べて、送風風量を大きくとることができ結果として装置の小型化がはかれる。
【００５９】
さらに、隔壁２６のその一部を第２の対角線２９上に配置することで、第１の遠心ファン２２と第２の遠心ファン２３の吸い込み口を吐出面１８に対して均等に配置することができ、熱交換器１３を流れる空気の均一化が図れ、空気を効率良く、第２送風機１５に吸い込んでキャビネット４内の熱を排出することができる。
【産業上の利用可能性】
【００６０】
本発明は、熱交換装置とそれを用いた発熱体収納装置の用途に適用できる。
【図面の簡単な説明】
【００６１】
【図１】本発明の実施の形態１の発熱体収納装置の設置状態を示す図
【図２】同発熱体収納装置の構成を示す図
【図３】同発熱体収納装置の内部を示す図
【図４】同熱交換装置の構成を示す図
【図５】同熱交換装置の第２送風機の構成を示す図
【図６】従来の熱交換装置の構成を示す図
【符号の説明】
【００６２】
１    ビルディング
２    屋上
３    携帯電話の基地局
４    キャビネット
５    送・受信装置
６    熱交換装置
７    第１吸気口
８    第１吐出口
９    第１風路
１０  第２吸気口
１１  第２吐出口
１２  第２風路
１３  熱交換器
１４  第１送風機
１５  第２送風機
１６  第１吹き出し口
１７  第１吸い込み口
１８  吐出面
１９  第２吹き出し口
２０  第２吸い込み口
２１  第１の対角線
２２  第１の遠心ファン
２３  第２の遠心ファン
２４  天面板
２５  側壁
２６  隔壁
２７  第１開口
２８  第２開口
【図１】
2010019455.tif 000003
【図２】
2010019455.tif 000004
【図３】
2010019455.tif 000005
【図４】
2010019455.tif 000006
【図５】
2010019455.tif 000007
【図６】
2010019455.tif 000008